(57)【要約】      （修正有）【課題】耐衝撃性を有したまま、振動子及び機械的エネルギ源からエネルギを伝達する手段に関して高い技術的自由度をもたらす時計を提供する。【解決手段】時計は表示デバイス５と協働する時計ムーブメント１を備え、時計ムーブメント１は、機械的エネルギ源７と、機械的エネルギ源７から少なくとも１つの共振器１１へのエネルギ伝達システム９とを備え、エネルギ伝達システム９は、少なくとも１つの共振器１１によって制御される第１の分配デバイス１０を含む。時計１は、少なくとも１つの共振器１１と表示デバイス５との間に設置された計数システムも備え、計数システムは、少なくとも１つの共振器１１によって制御される第２の分配デバイス１２を含み、第２の分配デバイス１２は表示デバイス５と協働して、エネルギ伝達手段を計数システムから連結解除する。【選択図】図１
2015094763.tif 000002
【特許請求の範囲】
【請求項１】
表示デバイス（５、１０５、２０５、３０５、４０５）と協働する時計ムーブメント（３、１０３、２０３、３０３、４０３）を備える時計（１、１０１、２０１、３０１、４０１）であって、
前記時計ムーブメント（３、１０３、２０３、３０３、４０３）は、機械的エネルギ源（７、１０７、２０７、３０７、４０７）と、前記エネルギ源（７、１０７、２０７、３０７、４０７）から少なくとも１つの共振器（１１、１１１、２１１、３１１、４１１）へのエネルギ伝達システム（９、１０９、２０９、３０９、４０９）とを備え、
前記エネルギ伝達システムは、前記少なくとも１つの共振器（１１、１１１、２１１、３１１、４１１）の運動によって前記機械的エネルギ源（７、１０７、２０７、３０７、４０７）から前記少なくとも１つの共振器（１１、１１１、２１１、３１１、４１１）へと周期的に機械的エネルギを伝達する、第１の分配デバイス（１０、１１０、２１０、３１０、４１０）を含む、時計（１、１０１、２０１、３０１、４０１）において、
前記時計（１、１０１、２０１、３０１、４０１）は、前記少なくとも１つの共振器（１１、１１１、２１１、３１１、４１１）と前記表示デバイス（５、１０５、２０５、３０５、４０５）との間に設置された計数システム（１３、１１３、２１３、３１３、４１３）を更に備え、
前記計数システムは第２の分配デバイス（１２、１１２、２１２、３１２、４１２）を含み、前記第２の分配デバイス（１２、１１２、２１２、３１２、４１２）は前記表示デバイス（５、１０５、２０５、３０５、４０５）と協働して、前記エネルギ伝達システム（９、１０９、２０９、３０９、４０９）を前記計数システム（１３、１１３、２１３、３１３、４１３）から完全に独立させるために、前記第１の分配デバイス（１０、１１０、２１０、３１０、４１０）に対して独立した様式で前記少なくとも１つの共振器（１１、１１１、２１１、３１１、４１１）の運動を計数することを特徴とする、時計（１、１０１、２０１、３０１、４０１）。
【請求項２】
前記エネルギ伝達システム（９、１０９、２０９、３０９、４０９）は、前記エネルギ源（７、１０７、２０７、３０７、４０７）と前記第１の分配デバイス（１０、１１０、２１０、３１０、４１０）との間に設置された伝達用歯車列（８、１０８、２０８）を備えることを特徴とする、請求項１に記載の時計（１、１０１、２０１、３０１、４０１）。
【請求項３】
前記伝達用歯車列は、機械的に協働して歯車減速手段を形成する少なくとも２つのホイールセットで形成されることを特徴とする、請求項２に記載の時計（１、１０１、２０１、３０１、４０１）。
【請求項４】
前記少なくとも２つのホイールセットは、摩擦又は噛合によって協働することを特徴とする、請求項３に記載の時計（１、１０１、２０１、３０１、４０１）。
【請求項５】
前記伝達用歯車列は、単一の減速歯車で形成されることを特徴とする、請求項２に記載の時計（１、１０１、２０１、３０１、４０１）。
【請求項６】
前記単一の減速歯車は、遊星歯車列（２０８）又は波動歯車列（１０８）であることを特徴とする、請求項５に記載の時計（１、１０１、２０１、３０１、４０１）。
【請求項７】
前記第１の分配デバイス（１０、１１０、２１０、３１０、４１０）は、前記少なくとも１つの共振器（１１、１１１、２１１、３１１、４１１）の前記運動によって前記エネルギ源（７、１０７、２０７、３０７、４０７）からのエネルギの一部を伝達できるようにするための、連結手段（２１、１２１、２２１、３２１）を備えることを特徴とする、請求項１に記載の時計（１、１０１、２０１、３０１、４０１）。
【請求項８】
前記連結手段は磁石タイプであることを特徴とする、請求項７に記載の時計（１、１０１、２０１、３０１、４０１）。
【請求項９】
前記磁石タイプの連結手段は、前記少なくとも１つの共振器（１１、１１１、２１１、３１１、４１１）に設置され、前記エネルギ源（７、１０７、２０７、３０７、４０７）と直接的又は間接的に協働するホイール（２２５、３２５）を接触なしに同期させる、少なくとも１つの永久磁石（２２４、３２４）で形成されることを特徴とする、請求項８に記載の時計（１、１０１、２０１、３０１、４０１）。
【請求項１０】
前記連結手段は静電タイプであることを特徴とする、請求項７に記載の時計（１、１０１、２０１、３０１、４０１）。
【請求項１１】
前記静電タイプの連結手段は、前記少なくとも１つの共振器（１１、１１１、２１１、３１１、４１１）に設置され、前記エネルギ源（７、１０７、２０７、３０７、４０７）と直接的又は間接的に協働するホイール（１２５）を接触なしに同期させる、少なくとも１つのエレクトレット（１２４）で形成されることを特徴とする、請求項１０に記載の時計（１、１０１、２０１、３０１、４０１）。
【請求項１２】
前記連結手段は脱進機機構で形成されることを特徴とする、請求項７に記載の時計（１、１０１、２０１、３０１、４０１）。
【請求項１３】
前記脱進機機構は、スイスレバー式、同軸又はデテントタイプであり、
前記脱進機機構は、前記エネルギ源（７、１０７、２０７、３０７、４０７）と直接的又は間接的に協働するガンギ車を備えることを特徴とする、請求項１２に記載の時計（１、１０１、２０１、３０１、４０１）。
【請求項１４】
前記少なくとも１つの共振器（１１、１１１、２１１、３１１、４１１）は慣性−弾性タイプであることを特徴とする、請求項１に記載の時計（１、１０１、２０１、３０１、４０１）。
【請求項１５】
前記慣性−弾性タイプの前記少なくとも１つの共振器（１１）は、テンプ（３３１、１３１、１３７）及びヒゲゼンマイ（１３３、１３９、３３３）を備える組立体（１１１、３１１）、振動ストリップ（４４１）、又は音叉（２１１）であることを特徴とする、請求項１４に記載の時計（１、１０１、２０１、３０１、４０１）。
【請求項１６】
前記少なくとも１つの共振器（１１、１１１）は、１つに連結された複数の共振器を含むことを特徴とする、請求項１に記載の時計（１、１０１、２０１、３０１、４０１）。
【請求項１７】
前記第１の分配デバイス（１０、４１０）及び前記少なくとも１つの共振器（１１、４１１）は、単一部品の振動子（４２０）を形成することを特徴とする、請求項１に記載の時計（１、１０１、２０１、３０１、４０１）。
【請求項１８】
前記単一部品の振動子（４２０）はクリフォードタイプであることを特徴とする、請求項１７に記載の時計（１、１０１、２０１、３０１、４０１）。
【請求項１９】
前記計数システム（１３、１１３、２１３、３１３、４１３）は、前記表示デバイス（５、１０５、２０５、３０５、４０５）と前記第２の分配デバイス（１２、１１２、２１２、３１２、４１２）との間に設置された計数用歯車列（１４、１１４、２１４、３１４、４１４）を備えることを特徴とする、請求項１に記載の時計（１、１０１、２０１、３０１、４０１）。
【請求項２０】
前記計数用歯車列（１４、１１４、２１４、３１４、４１４）は、機械的に協働して減速手段を形成する少なくとも２つのホイールセットで形成されることを特徴とする、請求項１９に記載の時計（１、１０１、２０１、３０１、４０１）。
【請求項２１】
前記第２の分配デバイス（１２、１１２、２１２、３１２、４１２）は、前記少なくとも１つの共振器（１１、１１１、２１１、３１１、４１１）にエネルギを伝達することなく、前記少なくとも１つの共振器の運動を検出できるようにするための、計数手段（２３、１２３、２２３、３２３、４２３）を備えることを特徴とする、請求項１〜２０のいずれか１項に記載の時計（１、１０１、２０１、３０１、４０１）。
【請求項２２】
前記計数手段（２３、１２３、２２３、３２３、４２３）は機械式であることを特徴とする、請求項２１に記載の時計（１、１０１、２０１、３０１、４０１）。
【請求項２３】
前記機械式の計数手段（２３、１２３）は、少なくとも１つの駆動レバー（１６０）で形成され、前記少なくとも１つの駆動レバー（１６０）は、前記少なくとも１つの共振器（１１、１１１）と協働して、前記表示デバイスと直接的又は間接的に協働するホイール（１６２）を駆動することを特徴とする、請求項２２に記載の時計（１、１０１、２０１、３０１、４０１）。
【請求項２４】
前記機械式の計数手段（２３、２２３、４２３）は、少なくとも１つのラチェット（２６０、４６０）で形成され、前記少なくとも１つのラチェット（２６０、４６０）は、前記少なくとも１つの共振器（１１、２１１、４１１、４２０）と協働して、前記表示デバイス（５、１０５、２０５、３０５、４０５）と直接的又は間接的に協働する角穴車（２６２、４６２）を駆動することを特徴とする、請求項２２に記載の時計（１、１０１、２０１、３０１、４０１）。
【請求項２５】
前記機械式の計数手段（２３、１２３）は、少なくとも１つの脱進機機構（３６０）で形成され、前記少なくとも１つの脱進機機構（３６０）は、前記少なくとも１つの共振器（１１、３１１）と協働して、前記表示デバイス（５、１０５、２０５、３０５、４０５）及び第２の機械的エネルギ源（１６、３１６）と直接的又は間接的に協働するホイール（３６２）を駆動することを特徴とする、請求項２２に記載の時計（１、１０１、２０１、３０１、４０１）。
【請求項２６】
各前記機械的エネルギ源（７、１６、１０７、２０７、３０７、３１６、４０７）は、弾性変形及び／又は圧縮空気エネルギ貯蔵によってエネルギを蓄積する手段を備えることを特徴とする、請求項１〜２５のいずれか１項に記載の時計（１、１０１、２０１、３０１、４０１）。
【請求項２７】
前記表示デバイス（５、１０５、２０５、３０５、４０５）は、針及び／又はディスクタイプの表示部材を備えることを特徴とする、請求項１〜２６のいずれか１項に記載の時計（１、１０１、２０１、３０１、４０１）。
【発明の詳細な説明】
【技術分野】
【０００１】
本発明は、共振器へのエネルギ伝達手段と時計の計数手段との間の連結解除を備える時計に関する。
【背景技術】
【０００２】
従来の腕時計用ムーブメントでは、香箱によって、ヒゲゼンマイ−テンプ式共振器と協働するスイスレバー式脱進機と噛み合う時方輪列に機械的エネルギが供給される。従って従来の脱進機システムは、共振器へのエネルギ伝達、及び共振器の前後運動の計数が可能であり、また高い耐衝撃性を実現する。
【０００３】
しかしながら従来の時計ムーブメントにはいずれの種類の振動子又は共振器を使用できるわけではなく、周波数が本質的に数ヘルツに制限されている。
【発明の概要】
【発明が解決しようとする課題】
【０００４】
本発明の目的は、耐衝撃性を有したまま、振動子及び機械的エネルギ源からエネルギを伝達する手段に関して高い技術的自由度をもたらす時計を提案することにより、上述の欠点の全て又は一部を克服することである。
【課題を解決するための手段】
【０００５】
このために本発明は、表示デバイスと協働する時計ムーブメントを備える時計に関する。この時計ムーブメントは、機械的エネルギ源と、上記エネルギ源から少なくとも１つの共振器へのエネルギ伝達システムとを備え、上記エネルギ伝達システムは、上記少なくとも１つの共振器の運動によって上記機械的エネルギ源から上記少なくとも１つの共振器へと周期的に機械的エネルギを伝達する第１の分配デバイスを含む。上記時計は、上記少なくとも１つの共振器と表示デバイスとの間に設置された計数システムも備え、上記計数システムは第２の分配デバイスを含み、上記第２の分配デバイスは上記表示デバイスと協働して、エネルギ伝達システムを計数システムから完全に独立させるために、上記第１の分配デバイスに対して独立した様式で上記少なくとも１つの共振器の運動を計数することを特徴とする。
【０００６】
本発明により、保守機能を計数機能から分離して最適化できることが理解される。従って上記少なくとも１つの共振器の同一の運動が時計の２つの異なる位置において検出され、一方は第１の分配デバイスを用いて香箱から上記少なくとも１つの共振器へとエネルギを周期的に伝達するため、他方はこれとは完全に独立した様式で、第２の分配デバイスを用いて上記少なくとも１つの共振器の上記運動を計数するために使用される。従ってこの時計は、第１の分配デバイス、上記少なくとも１つの共振器又は振動子（即ち第１の分配デバイスと上記少なくとも１つの共振器が構造的に分離できない場合）に関する多様な技術を含む。
【０００７】
第１の分配デバイスを機械的エネルギ源と直接的又は間接的に係合できること、並びにこのデバイスによって得られる技術的自由度は、上記少なくとも１つの共振器の種類をその性質及び周波数に関して制限しないことに、特に留意されたい。したがって、仮に第１の分配デバイスが衝撃に弱く、上記少なくとも１つの共振器へのエネルギ伝達に一時的に失敗するとしても、このような最悪の場合において、計数システムの第２の分配デバイスは、表示デバイスへの伝達のための上記少なくとも１つの共振器の運動を完全に独立して計数し続けるため、機械的エネルギ源が有するエネルギの全てが、時刻表示に影響を与えることなく一時的にエネルギ伝達システムに移されることになる。計数システムを耐衝撃性に関して選択することが好ましい理由は以上である。
【０００８】
本発明の他の有利な特徴によると：
−エネルギ伝達システムは、エネルギ源と第１の分配デバイスとの間に設置された伝達用歯車列を備え；
−伝達用歯車列は、例えば摩擦又は噛合によって機械的に協働して歯車減速手段を形成する、少なくとも２つのホイールセットで形成され；
−伝達用歯車列は、例えば遊星歯車列又は波動歯車列等の単一の減速歯車で形成され；
−第１の分配デバイスは、上記少なくとも１つの共振器の運動によってエネルギ源からのエネルギの一部を伝達できるようにするための、連結手段を備え；
−連結手段は、上記少なくとも１つの共振器に設置され、エネルギ源と直接的又は間接的に協働するホイールを接触なしに同期させる、例えば少なくとも１つの永久磁石等の磁石タイプの連結手段であり；
−連結手段は、上記少なくとも１つの共振器に設置され、エネルギ源と直接的又は間接的に協働するホイールを接触なしに同期させる、例えば少なくとも１つのエレクトレット等の静電タイプの連結手段であり；
−連結手段は、例えばスイスレバー式、同軸又はデテント脱進機等の脱進機機構で形成され、この脱進機機構は、エネルギ源と直接的又は間接的に協働するガンギ車を備え；
−上記少なくとも１つの共振器は、例えばヒゲゼンマイ−テンプ組立体、振動ストリップ又は音叉等の慣性−弾性タイプの共振器であり；
−上記少なくとも１つの共振器は、１つに連結された複数の共振器を含み；
−第１の分配デバイス及び上記少なくとも１つの共振器は、例えばクリフォードタイプ等の単一部品の振動子を形成し；
−計数システムは、表示デバイスと第２の分配デバイスとの間に設置された計数用歯車列を備え；
−計数用歯車列は、機械的に協働して減速手段を形成する少なくとも２つのホイールセットで形成され；
−第２の分配デバイスは、上記少なくとも１つの共振器にエネルギを伝達することなく、上記少なくとも１つの共振器の運動を検出できるようにするための、計数手段を備え；
−計数手段は、例えば少なくとも１つの駆動レバー等の、機械式の計数手段であり、上記駆動レバーは、上記少なくとも１つの共振器と協働して、表示デバイス又は少なくとも１つのコハゼと直接的又は間接的に協働するホイールを駆動し、上記コハゼは、上記少なくとも１つの共振器と協働して角穴車を直接的又は間接的に駆動し、上記角穴車は、表示デバイス又は少なくとも１つの脱進機機構と直接的又は間接的に協働し、上記脱進機機構は、上記少なくとも１つの共振器と協働して、表示デバイス及び第２の機械的エネルギ源と直接的又は間接的に協働するホイールを駆動し；
−各機械的エネルギ源は、弾性変形又は圧縮空気エネルギ貯蔵によってエネルギを蓄積する手段を備え；
−表示デバイスは、針及び／又はディスクタイプの表示部材を備える。
【０００９】
その他の特徴及び利点は、添付の図面を参照した非限定的な例示を用いて構成された以下の説明を読むことにより明らかになるであろう。
【図面の簡単な説明】
【００１０】
【図１】図１は、本発明による時計の概略図である。
【図２】図２は、本発明による時計のある実施形態の概略図である。
【図３】図３は、本発明による時計の別の実施形態の概略図である。
【図４】図４は、本発明による時計の別の実施形態の概略図である。
【図５】図５は、本発明による時計の別の実施形態の概略図である。
【発明を実施するための形態】
【００１１】
図１に示すように、本発明は表示デバイス５と協働する時計ムーブメント３を備える時計１に関する。表示デバイス５は当然、例えば針及び／又はディスクタイプの表示部材等の、いずれのタイプの表示部材を備えてよい。更に表示デバイス５は時刻の表示のみに限定されず、日付若しくは測定した時間等の別の時間値も表示でき、又は温度、圧力、水深若しくは高度等の時間に関係ない値を表示することさえ可能である。
【００１２】
時計ムーブメント３は、機械的エネルギ源７と、機械的エネルギ源７から少なくとも１つの共振器１１へのエネルギ伝達システム９とを備える。エネルギ伝達システム９は、上記少なくとも１つの共振器１１によって制御される少なくとも１つの分配デバイス１０、即ち上記少なくとも１つの共振器１１の運動によって機械的エネルギ源７から選択的にエネルギを受信できる少なくとも１つの分配デバイス１０を含む。
【００１３】
本発明によると時計１は、上記少なくとも１つの共振器１１と表示デバイス５との間に設置された、伝達システム９からは独立した計数システム１３も備える。計数システム１３は少なくとも１つの第２の分配デバイス１２を含み、第２の分配デバイス１２は上記少なくとも１つの第１の分配デバイス１０から独立しているものの上記少なくとも１つの共振器１１によって制御される。即ち上記少なくとも１つの共振器１１の運動は第２の分配デバイス１２によって、ここでもまた選択的に計数される。更に第２の分配デバイス１２は表示デバイス５と協働して、上記共振器１１へのエネルギ伝達手段を上記少なくとも１つの共振器１１の計数手段から連結解除する。即ちこれらを互いに完全に独立したものとする。
【００１４】
従って、上記少なくとも１つの共振器１１の同一の運動が時計１の２つの異なる位置において検出され、一方は上記少なくとも１つの第１の分配デバイス１０を用いて香箱から上記少なくとも１つの共振器１１へとエネルギを周期的に伝達するため、他方はこれとは完全に独立した様式で、上記少なくとも１つの第２の分配デバイス１２を用いて上記少なくとも１つの共振器１１の上記運動を計数するために使用されることが理解できる。
【００１５】
本発明によると有利には、仮に第１の分配デバイス１０が衝撃に弱く、上記少なくとも１つの共振器１１へのエネルギ伝達に一時的に失敗するとしても、このような最悪の場合において、計数システム１３の第２の分配デバイス１２は、表示デバイス５への伝達のための上記少なくとも１つの共振器１１の運動を完全に独立して計数し続けるため、機械的エネルギ源７が有するエネルギの全てが、時刻表示５に影響を与えることなく一時的にエネルギ伝達システム９に移されることになることが理解できる。
【００１６】
従って時計１は、第１の分配デバイス１０（上記少なくとも１つの共振器１１との協働の種類、接触するかしないか等）、上記少なくとも１つの共振器１１（種類、数、周波数等）又は振動子（即ち第１の分配デバイス１０と上記少なくとも１つの共振器１７が構造的に分離できない場合）に関する多様な技術を含んでよい。
【００１７】
第１の分配デバイス１０を機械的エネルギ源７と直接的又は間接的に係合できること、並びにこれによって得られる技術的自由度により、多数の異なる共振器１１が使用できるようになることに留意されたい。したがって、エネルギ伝達システム９は任意に、エネルギ源７と第１の分配デバイス１０との間に設置された伝達用歯車列８を備えてよいことが理解できる。
【００１８】
また、エネルギ伝達システム９は、計数機能から解放されるため、使用する伝達用歯車列８の選択に関して極めて高い自由度を提供できる。第１の変形例では、伝達用歯車列８を例えば、機械的に協働して減速手段を形成する少なくとも２つのホイールセットで形成してよい。よってこのような第１の変形例は、従来の時方輪列とは違って例えば摩擦によって協働する（ただし噛合も依然として可能である）少なくとも２つのホイールセットを備えてよいことが理解できる。
【００１９】
第２の変形例によると、伝達用歯車列８を単一の減速歯車で形成できる。この減速歯車は例えば波動歯車列１０８又は遊星歯車列２０８であってよい。
【００２０】
図２に示すように、波動歯車列１０８（これを開発した会社の名称から「ハーモニックドライブ（登録商標）」としても知られている）は一般に、少なくとも１つの内側歯部を備える剛性リング１１５、楕円形波動生成器１１７及び可撓性リング１１６で形成され、この可撓性リング１１６は剛性リング１１５の内側歯部と噛合し、波動生成器１１７の外側表面と摩擦接触して、極めてコンパクトな空間において比較的高い減速度を実現できる。
【００２１】
図３に示すように、遊星歯車列２０８は、少なくとも１つの内側歯部を備える外側衛星歯車２１５、少なくとも１つの外側歯部を備える内側衛星歯車２１７、並びに外側衛星歯車２１５の内側歯部及び内側衛星歯車２１７の外側歯部と噛合して高い減速度を実現できる少なくとも１つの（図３では３つ使用されている）衛星歯車２１６で形成される。
【００２２】
当然のことながら、伝達用歯車列８は上述の２つの変形例に限定されるものではない。従って伝達用歯車列８は、目的とする用途に応じて以下の改変を含んでよく、又は他のタイプのエネルギ伝達を含んでよい。
【００２３】
本発明によると有利には、第１の分配デバイス１０は、上記少なくとも１つの共振器１１の運動によってエネルギ源７からエネルギの一部を伝達できるようにする連結手段２１を備える。
【００２４】
第１の変形例によると、連結手段２１は磁石タイプであってよい。図３に例として示すように、磁石式連結手段２２１は、上記少なくとも１つの共振器２１１に設置され、エネルギ源２０７と直接的又は間接的に（図３の場合は歯車列２０８を介して間接的に）協働するホイール２２５を接触なしに同期させる、少なくとも１つの永久磁石２２４で形成できる。
【００２５】
第２の変形例によると、連結手段２１は静電タイプであってよい。図２に例として示すように、静電式連結手段１２１は、上記少なくとも１つの共振器１１１に設置され、エネルギ源１０７と直接的又は間接的に（図２の場合は歯車列１０８を介して間接的に）協働する、選択的に極性付与されたホイール１２５を接触なしに同期させる、少なくとも１つのエレクトレット１２４で形成できる。
【００２６】
第３の変形例によると、連結手段２１は脱進機機構で形成できる。この脱進機機構は、例えばスイスレバー式、同軸又はデテント脱進機であってよく、エネルギ源と直接的又は間接的に協働するガンギ車を備えてよい。
【００２７】
当然のことながら、第１の分配デバイス１０は上述の第１、第２又は第３の変形例に限定されるものではない。従って分配デバイス１０は、目的とする用途に応じて以下の修正を含んでよく、及び／又は他のタイプのエネルギ伝達を含んでよい。
【００２８】
本発明によると有利には、上記少なくとも１つの共振器１１は慣性−弾性タイプであってよい。例として、慣性−弾性タイプの上記少なくとも１つの共振器１１は、ヒゲゼンマイ−テンプ組立体３１１、振動ストリップ又は音叉２１１であってよい。
【００２９】
また、上記少なくとも１つの共振器１１は、１つに連結された複数の共振器を含んでもよいことも理解できる。図２に例として示すように、欧州特許第２１４１５５５号（参照により本明細書に援用される）に開示された２つのヒゲゼンマイ−テンプ式共振器を備える組立体１１を使用する。組立体１１は、第１のヒゲゼンマイ１３３と協働する第１のテンプ１３１、及び第２のヒゲゼンマイ１３９と協働する第２のテンプ１３７を備える。各ヒゲゼンマイ−テンプ式共振器は異なる周波数を有するように構成され、第１のゼンマイ１３４で形成された第３の巻きバネによって互いに同期され、この第１のゼンマイ１３４は第１の共振器に接続され、また迫り出した外側コイル１３５によって、第２の共振器に接続された第２のゼンマイ１３６まで延長されている。
【００３０】
具体的な他の実施例によると、第１の分配デバイス１０及び上記少なくとも１つの共振器１１は単一部品の振動子を形成してもよいこと、即ち第１の分配デバイス１０及び上記少なくとも１つの共振器１１は構造的に分離できないことも理解できる。図５に例として示すように、スイス特許第３８６３４４号（参照により本明細書に援用される）に開示されているような単一部品のクリフォード振動子４２０を用いる。振動子４２０は、第１の磁石式分配デバイス４１０と入れ子状になった振動ストリップ共振器４１１を備える。より具体的には、２つの磁性アーム４４０、４４２は、エネルギ源４０７に直接的又は間接的に（図５の場合は直接的に）接続されたホイール４４５と接触することなく協働するよう設計された、Ｕ字型永久磁石４４４を形成する。最後に、これら２つのアーム４４０、４４２の間には振動ストリップ４４１が設置される。振動子４２０の周波数を安定させるために、ホイール４４５を慣性質量と嵌合させることもできる。
【００３１】
当然のことながら、上記少なくとも１つの共振器１１、１１１、２１１、３１１又は振動子４２０は、上述の実施例及び具体的代替例に限定されない。よって上記少なくとも１つの共振器１１、１１１、２１１、３１１又は振動子４２０は、目的とする用途に応じて改変を含んでよく、及び／又は他のタイプの共振器又は振動子を含んでよい。
【００３２】
本発明によると好ましくは、計数システム１３はその耐衝撃性に関して選択される。従って計数システム１３は、表示デバイス５を駆動するために必要なエネルギがあまり多くないことから、エネルギ伝達に関して性能が低くてもよいことが理解できる。従って好ましくは、時計が受けるいずれの衝撃も、計数システム１３によって上記少なくとも１つの共振器１１に伝達されない。
【００３３】
第２の分配デバイス１２は、表示デバイス５と直接的又は間接的に接触してよいことが分かる。従って計数システム１３は任意に、表示デバイス５と第２の分配デバイス１２との間に設置される計数用歯車列１４を備えてよいことが理解できる。
【００３４】
計数用歯車列１４は、計数に貢献し、機械的に協働して減速手段を形成する少なくとも２つのホイールセットで形成できる。当然のことながら、計数用歯車列１４は少なくとも２つの歯車列に限定されるものではない。よって計数用歯車列１４は、目的とする用途に応じて改変を含んでよく、及び／又は他のタイプのエネルギ伝達を含んでよい。
【００３５】
本発明によると有利には、第２の分配デバイス１２（上記少なくとも１つの共振器１１との協働の種類、接触するかしないか等）に関して極めて多様な技術を想定してもよい。第２の分配デバイス１２は、上記少なくとも１つの共振器１１にエネルギを伝達することなく、上記少なくとも１つの共振器１１の運動を検出するための、計数手段２３を備える。計数システム１３は好ましくはその耐衝撃性に関して選択されるため、計数手段２３は機械式であるとよい。
【００３６】
図２に示す第１の変形例によると、第２の分配デバイス１１２は、少なくとも１つの駆動レバー１６０で形成された機械式計数手段１２３を備え、上記少なくとも１つの駆動レバー１６０は、上記少なくとも１つの共振器１１１と協働して、表示デバイス１０５と直接的又は間接的に（図２の場合は歯車列１１４を介して間接的に）協働するホイール１６２を駆動する。
【００３７】
駆動レバー１６０の使用により、特定のエネルギ源が必要なくなり、振動子、即ち共振器１１１と協働する第１の分配デバイス１１０によって表示デバイス１０５を駆動するために必要な力を直接使用できるようになる。傾斜コハゼ又は回転コハゼであるコハゼによって、テンプ１３１又は１３７の振動の、一定方向の回転への変換が保証される。
【００３８】
このような駆動レバーの動作は特に、「Ｍｏｎｔｒｅｓ  Ｅｌｅｃｔｒｉｑｕｅｓ  ｅｔ  Ｅｌｅｃｔｒｏｎｉｑｕｅｓ」（Ｆｅｄｅｒａｔｉｏｎｓ  ｄｅｓ  Ｅｃｏｌｅｓ  Ｔｅｃｈｎｉｑｕｅｓ  ＆  Ｊａｑｕｅｓ  Ｍｅｒｍｏｄ、１５７ページ、ＩＤＥＡ  Ｅｄｉｔｉｏｎｓ、１９７７年）において説明されており、上記文献は参照により本明細書に援用される。
【００３９】
図３に示す第２の変形例によると、第２の分配デバイス２１２は、少なくとも１つのラチェット２６０で形成された機械式計数手段２２３を備え、上記ラチェット２６０は少なくとも１つの共振器２１１と協働し、表示デバイス２０５と直接的又は間接的に（図３の場合は歯車列２１４を介して間接的に）協働する角穴車２６２を駆動する。角穴車２６２のいずれの望ましくない回転を回避するために、保持用ラチェット２６１を設けてよいことも見て取れる。
【００４０】
図４に示す第３の変形例によると、第２の分配デバイス３１２は、少なくとも１つのスイスレバー式脱進機機構３６０で形成された機械式計数手段３２３を備え、上記スイスレバー式脱進機機構３６０は上記少なくとも１つの共振器３１１と協働し、表示デバイス３０５及び第２の機械的エネルギ源３１６と直接的又は間接的に（図４の場合は歯車列３１４を介して間接的に）協働するガンギ車３６２を駆動する。
【００４１】
当然のことながら、第２の分配デバイス１２、１１２、２１２、３１２は、上述の第１、第２、第３の変形例に限定されるものではない。よって第２の分配デバイス１２、１１２、２１２、３１２は、目的とする用途に応じて改変を含んでよく、及び／又は他のタイプの共振器又は振動子を含んでよい。
【００４２】
最後に、機械的エネルギ源７、１０７、２０７、３０７、４０７及び第２の機械的エネルギ源１６、３１６は、弾性変形及び／又は圧縮空気エネルギ貯蔵によってエネルギを蓄積する手段を備えてよい。例としてこの蓄積手段は、枢動ドラム内に設置されて香箱を形成する金属製ストリップの形態であってよい。
【００４３】
ここで本発明の利点をより良好に例示するために、図２〜図５を参照して４つの非限定的な実施形態を説明する。
【００４４】
図２に示す第１の実施形態によると、時計１０１は、表示デバイス１０５と協働する時計ムーブメント１０３を備える。時計ムーブメント１０３は、香箱によって形成される機械的エネルギ源１０７を備える。
【００４５】
エネルギ源１０７から二重共振器１１１へのエネルギ伝達システム１０９は、伝達用歯車列１０８と、上記二重共振器１１１によって制御される第１の分配デバイス１１０とを含む。第１の分配デバイス１１０は、二重共振器１１１のテンプ１３１、１３７のうちの一方に設置された少なくとも１つのエレクトレット１２４で形成された静電式連結手段１２１を備え、このエレクトレット１２４は、波動歯車列で形成された伝達用歯車列１０８を通してエネルギ源１０７と協働する、選択的に極性付与されたホイール１２５を、接触することなく同期させる。
【００４６】
二重共振器１１１は慣性−弾性タイプであり、２つのヒゲゼンマイ−テンプ組立体を備える。より具体的には、二重共振器は、第１のヒゲゼンマイ１３３と協働する第１のテンプ１３１、及び第２のヒゲゼンマイ１３９と協働する第２のテンプ１３７を備える。各ヒゲゼンマイ−テンプ式共振器は異なる周波数を有するように構成され、第１のゼンマイ１３４で形成された第３の巻きバネによって互いに同期され、この第１のゼンマイ１３４は第１の共振器に接続され、また迫り出した外側コイル１３５によって、第２の共振器に接続された第２のゼンマイ１３６まで延長されている。
【００４７】
計数システム１１３は、二重共振器１１１と表示デバイス１０５との間に設置される。計数システム１１３は第２の分配デバイス１１２を含み、この第２の分配デバイス１１２は二重共振器１１１によって制御され、機械式計数手段１２３を備える。機械式計数手段１２３は少なくとも１つの駆動レバー１６０で形成され、これは二重共振器１１１と協働し、計数用歯車列１１４を介して表示デバイス１０５と協働するホイール１６２を駆動する。
【００４８】
図３に示す第２の実施形態によると、時計２０１は、表示デバイス２０５と協働する時計ムーブメント２０３を備える。時計ムーブメント２０３は、香箱によって形成される機械的エネルギ源２０７を備える。
【００４９】
エネルギ源２０７から二重共振器２１１へのエネルギ伝達システム２０９は、伝達用歯車列２０８と、共振器２１１によって制御される第１の分配デバイス２１０とを含む。第１の分配デバイス２１０は、二重共振器２１１に設置された少なくとも１つの永久磁石２２４で形成された磁石式連結手段２２１を備え、この永久磁石２２４は、遊星歯車列で形成された伝達用歯車列２０８を介してエネルギ源２０７と協働するホイール２２５を、接触することなく同期させる。
【００５０】
共振器２１１は慣性−弾性タイプであり、音叉で形成される。より具体的には、音叉２１１は、固定された基部２５１に接続された２つの振動ストリップ２５０、２５２を備える。各ストリップ２５０、２５２は、ムーブメント２０３の分配デバイス２１０、２１２のうちの一方に連結される。
【００５１】
計数システム２１３は、共振器２１１と表示デバイス２０５との間に設置される。計数システム２１３は第２の分配デバイス２１２を含み、この第２の分配デバイス２１２は共振器２１１によって制御され、機械式計数手段２２３を備える。機械式計数手段２２３は少なくとも１つのコハゼ２６０で形成され、これは共振器２１１と協働し、計数用歯車列２１４を介して表示デバイス２０５と協働する角穴車２６２を駆動する。角穴車２６２のいずれの望ましくない回転を回避するために、保持用ラチェット２６１も角穴車２６２と協働することも見て取れる。
【００５２】
図４に示す第３の実施形態によると、時計３０１は、表示デバイス３０５と協働する時計ムーブメント３０３を備える。時計ムーブメント３０３は、香箱によって形成される機械的エネルギ源３０７を備える。
【００５３】
エネルギ源３０７から共振器３１１へのエネルギ伝達システム３０９は、共振器３１１によって制御される第１の分配デバイス３１０のみを含み、即ち駆動歯車列を有さない。第１の分配デバイス３１０は、共振器３１１のテンプ３３１に設置された少なくとも１つの永久磁石３２４で形成された磁石式連結手段３２１を備え、この永久磁石３２４は、エネルギ源３０７と直接協働するホイール３２５を、接触することなく同期させる。共振器３１１は慣性−弾性タイプであり、ゼンマイ３３３と連結されたテンプ３３１で形成される。
【００５４】
計数システム３１３は、共振器３１１と表示デバイス３０５との間に設置される。計数システム３１３は、少なくとも１つのスイスレバー式脱進機機構３６０で形成された機械式計数手段３２３を備え、上記スイスレバー式脱進機機構３６０は共振器３１１と協働し、計数用歯車列３１４を介して表示デバイス３０５及び第２の機械的エネルギ源３１６と協働するガンギ車３６２を駆動する。
【００５５】
最後に、図５に示す第４の実施形態によると、時計４０１は、表示デバイス４０５と協働する時計ムーブメント４０３を備える。時計ムーブメント４０３は、香箱によって形成される機械的エネルギ源４０７を備える。
【００５６】
エネルギ源４０７から共振器４１１へのエネルギ伝達システム４０９は、共振器４１１から分離できず、即ちエネルギ伝達システム４０９は伝達用歯車列を有さず、また第１の分配デバイス４１０は共振器４１１内に含まれる。従って第１の分配デバイス４１０及び共振器４１１は単一部品の振動子４２０を形成することが理解できる。図５からは、この単一の振動子４２０はクリフォードタイプの振動子であり、２つの磁性アーム４４０、４４２を備え、これら２つの磁性アーム４４０、４４２は、エネルギ源４０７に直接的又は接続されたホイール４４５と接触することなく協働するよう設計されたＵ字型永久磁石４４４を形成することが分かる。更にこれら２つのアーム４４０、４４２の間には振動ストリップ４４１が設置される。
【００５７】
計数システム４１３は、単一部品の振動子４２０と表示デバイス４０５との間に設置される。計数システム４１３は第２の分配デバイス４１２を含み、この第２の分配デバイス４１２は振動子４２０（例えば振動子４２０の振動ストリップ４４１等）によって制御され、機械式計数手段４２３を備える。機械式計数手段４２３は少なくとも１つのコハゼ４６０で形成され、上記コハゼ４６０は振動子４２０と協働し、計数用歯車列４１４を介して表示デバイス４０５と協働する角穴車４６２を駆動する。角穴車４６２のいずれの望ましくない回転を回避するために、保持用ラチェット４６１も角穴車４６２と協働することも見て取れる。
【００５８】
当然のことながら、本発明は本明細書で例示した実施例に限定されるものではなく、当業者に明らかである様々な変形例及び修正例が可能である。特に連結手段は異なるタイプのもの、特に圧電タイプのものであってよい。同様に、計数手段もまた異なるものであってよく、特に磁石、静電又は圧電タイプのものであってよい。
【００５９】
更に当然のことながら、目的とする用途に応じて、異なる変形例、代替例及び／又は実施形態を組み合わせるか又は順応させてよい。
【符号の説明】
【００６０】
１，１０１，２０１，３０１，４０１          時計
３，１０３，２０３，３０３，４０３          時計ムーブメント
５，１０５，２０５，３０５，４０５          表示デバイス
７，１０７，２０７，３０７，４０７          機械的エネルギ源
８，１０８，２０８                          伝達用歯車列
１０８  波動歯車列
２０８  遊星歯車列
９，１０９，２０９，３０９，４０９          エネルギ伝達システム
１０，１１０，２１０，３１０，４１０        第１の分配デバイス
１１，１１１，２１１，３１１，４１１        共振器
１１１，３１１  ヒゲゼンマイ−テンプ組立体
１１１  二重共振器
２１１  音叉
４１１  振動ストリップ、振動ストリップ共振器
１２，１１２，２１２，３１２，４１２        第２の分配デバイス
１４，１１４，２１４，３１４，４１４        計数用歯車列
１６，３１６                                第２の機械的エネルギ源
２１，１２１，２２１，３２１                連結手段
２３，１２３，２２３，３２３，４２３        計数手段、機械式計数手段
１１５                                      剛性リング
１１６                                      可撓性リング
１１７                                      楕円形波動生成器
１２４                                      エレクトレット
１３１，１３７，３３１  テンプ
１３１  第１のテンプ
１３７  第２のテンプ
１３３，１３９，３３３                      ヒゲゼンマイ
１３３                                      第１のヒゲゼンマイ
１３９                                      第２のヒゲゼンマイ
１３４                                      第１のゼンマイ
１３５                                      外側コイル
１３６                                      第２のゼンマイ
１６０                                      駆動レバー
１６２                                      ホイール
２１５                                      外側衛星歯車
２１６                                      衛星歯車
２１７                                      内側衛星歯車
２２４，３２４                              永久磁石
２２５，３２５                              ホイール
２５０，２５２                              振動ストリップ
２５１                                      基部
２６０，４６０                              ラチェット、コハゼ
２６１，４６１                              保持用ラチェット
２６２，４６２                              角穴車
３２１                                      磁石式連結手段
３６０                                      脱進機機構、スイスレバー式脱進機機構
３６２                                      ホイール
４２０                                      振動子、クリフォード振動子
４４０，４４２                              磁性アーム
４４１                                      振動ストリップ
４４４                                      Ｕ字型永久磁石
４４５                                      ホイール
【図１】
2015094763.tif 000003
【図２】
2015094763.tif 000004
【図３】
2015094763.tif 000005
【図４】
2015094763.tif 000006
【図５】
2015094763.tif 000007